(57)【特許請求の範囲】
【請求項１】
飲料抽出部(1)とガス供給部(2)を備え、
該飲料抽出部(1)はキャップ(3)、サイホン管(4)、開閉弁(5)及び抽出口(6)を有し、
該キャップ(3)は容器(7)の開口部(8)に対する取付部(9)、逆止弁(10)付きガス導入路(11)及び飲料導出路(12)を有し、
該サイホン管(4)は上端部が該飲料導出路(12)に導結され、下端に減圧抽出部(13)を備え、
該開閉弁(5)は該飲料導出路(12)内の弁座(21)と弁体(22)を有し、
該抽出口(6)は一端が該キャップ(3)外に開口し他端が該飲料導出路(12)と該弁座(21)の下流側で連通し、
該ガス供給部(2)は該飲料抽出部(1)と別体で本体(31)、ガスカートリッジ(32)の取付部(33)、開栓部(34)、ガス取出部(35)、減圧部(36)、ガス流出口(37)及び該ガス流出口(37)に配設され非結合時に該ガス流出口(37)を閉止する自閉弁(38)を有し、
該ガス供給部(2)は該飲料抽出部(1)と結合時に該ガス流出口(37)が該キャップ(3)の該ガス導入路(11)と導通するようになっ
ていることを特徴とする結合型炭酸飲料抽出器。
【請求項２】
該ガス供給部(2)と該飲料抽出部(1)の結合が、該ガス流出口(37)と該ガス導入路(11)の一方に配設した袋ナット(43)と、他方に形成したネジ(44)によって、なされる請求項１に記載の結合型炭酸飲料抽出器。
【請求項３】
該ガス流出口(37)が該本体(31)から延出したチューブ(45)の端部に設けられている請求項１又は２に記載の結合型炭酸飲料抽出器。
【請求項４】
該ガス流出口(37)に弁匣(46)が導結され、該弁匣(46)に該自閉弁(38)が収容され、該袋ナット(43)は該弁匣(46)に遊嵌され、該ネジ(44)は該キャップ(3)の該ガス導入路(11)の口縁部外周に形成され、該袋ナット(43)と該ネジ(44)の螺合により、該ガス導入路(11)内の突き棒(47)が該自閉弁(38)を移動して該ガス流出口(37)が該ガス導入路(11)に導通するようになっている請求項１、２又は３に記載の結合型炭酸飲料抽出器。
【請求項５】
該ガス供給部(2)は該容器(7)の接合カール部(48)の内側の溝(49)に係合するフック(50)を備えている請求項１又は３に記載の結合型炭酸飲料抽出器。
【発明の詳細な説明】
【０００１】
【発明の属する技術分野】
本発明は分離型炭酸飲料抽出器、殊に内容積が１０cc程度の炭酸ガスカートリッジのガス圧を利用して容器内の炭酸飲料を、所謂ガス抜け作用を起こさせずに、外部へ抽出する型式のものの改良に関し、ガス供給部をガス漏れなしに飲料抽出部から外す型式のものに関する。
【０００２】
【従来の技術】
本件出願人は先に特開平７−３５９５４号で炭酸ガスカートリッジが着脱自在のキャップを容器に装着して炭酸飲料を炭酸ガスの圧力で容器外へ抽出する型式の炭酸飲料抽出器を提案している。
【０００３】
【発明が解決しようとする課題】
この提案された炭酸飲料抽出器の対象となる容器は、２〜３リットルと容量が多く、通常一回で飲み干さず、使用を終えた都度、残りを冷蔵庫等で冷蔵し、結果的に数回に分けて飲むのが一般的な利用形態である。
しかし、炭酸飲料を容器ごと冷蔵保存する場合、大型の冷蔵庫であればそのポケットに容器を起立状態で保存できるが、一般家庭の冷蔵庫のサイズでは容器を寝かせた状態にしないと収容できない。炭酸飲料の抽出を止めた状態ではガス供給部と容器内圧は均衡しているので、容器を横倒しにしておくと、容器内の液がガス供給部の逆止弁を通って減圧部に逆流し、その機能を損なう原因となる。
本発明はこれらの課題を解決することを意図するものである。
【０００４】
【課題を解決するための手段】
本発明にかかる分離型炭酸飲料抽出器は飲料抽出部とガス供給部を備えている。該飲料抽出部はキャップ、サイホン管、開閉弁及び抽出口を有している。該キャップは容器の開口部に対する取付部、逆止弁付きガス導入路及び飲料導出路を有している。該サイホン管は上端部が該飲料導出路に導結され、下端に減圧抽出部を備えている。該開閉弁は該飲料導出路内の弁座と弁体を有している。該抽出口は一端が該キャップ外に開口し、他端が該飲料導出路と該弁座の下流側で連通している。
該ガス供給部は該飲料抽出部と別体で、本体、ガスカートリッジの取付部、開栓部、ガス取出部、減圧部、ガス流出口及び該ガス流出口に配設され非結合時に該ガス流出口(36)を閉止する自閉弁を有している。
そして、該ガス供給部は該飲料抽出部と結合時に該ガス流出口が該キャップの該ガス導入路と導通するようになっている。
【０００５】
本発明抽出器の飲料抽出部のサイホン管と減圧抽出部を炭酸飲料が入った容器の開口部を通してこの容器に入れ、キャップを開口部にその取付部で取付ける。一般的にこの取付部はねじとなっているが、クリック機構等のワンタッチ型でもよい。
【０００６】
また、ガス供給部の取付部にガスが充填されたガスカートリッジを取付ける。この取付はガス供給部を飲料抽出部に結合した後でもよい。このカートリッジの容積は１０cc程度のもので、ガスはＣＯ2ガスが一般的である。このカートリッジは取付完了時点で開栓部により開栓される。この開栓部は、カートリッジが封板で密封される型式の場合は穿針型で、再充填型封止機構型の場合は押し棒型となる。
【０００７】
開栓されたカートリッジから高圧ガスが流出し、ガス取出部を通って減圧部で減圧され、ガス流出口へ流れる。このガス流出口には自閉弁が配設されているので、ガスはこの自閉弁により流出を阻止される。
【０００８】
このガス供給部を飲料抽出部に結合すると、ガス流出口がガス導入路と導通する。容器内の圧力がこの減圧部で減圧された圧力より低いときはガスがガス導入路の逆止弁を開いて容器内に入り、炭酸飲料の表面を加圧する。
【０００９】
この逆止弁は加圧時にガス流出口をガス導入路と分離した際に、容器内ガスの流出を防ぐ。また、ガス導入路の外端を蓋で閉塞するようにすると、異物の侵入を防げ、ガス抜け予防にもある程度役立つ。容器内の圧力と減圧部での圧力が均衡するとカートリッジからのガスの流出は止む。
【００１０】
炭酸飲料を取出したいときは、抽出口に容れ物、例えばコップを当てがい、開閉弁を開放する。抽出口にノズルを接続した場合はこのノズルの先端に容れ物を当てがう。開閉弁の操作には例えばレバー、押し釦又はネジ棒が採用される。開閉弁の開放により飲料導出路が開通する。そのため、容器内ガスの圧力で表面を圧下された炭酸飲料は減圧抽出部を通ってサイホン管に流れ、その内部を上昇し、飲料導出路を通って抽出口から容れ物に抽出される。
開閉弁を閉じれば、飲料導出路が閉止されて飲料の抽出が止む。
【００１１】
飲料の抽出により容器内圧力が下がってガス供給部の減圧部内の圧力より低くなると、減圧部よりガスがガス導入路の逆止弁を開いて容器内に流入する。そして、この流入は両圧力がバランスするまで続く。
【００１２】
炭酸飲料を飲むのを止めて容器を冷蔵庫に入れて保存したい場合、ガス供給部を飲料抽出部から分離する。飲料抽出部のガス導入路に逆止弁が設けられているので容器内のガスの流出を常に阻止し、ガス供給部が飲料抽出部から分離されても、容器内のガスが外部へ漏れ出ることはない。ガス導入路の外端を蓋で塞ぐようにすれば異物の侵入を防げ、ガス抜けも確実に防げる。
【００１３】
同様に、ガス供給部のガス流出口もガス導入路と分離した時点で自閉弁により開放を阻止され、ガスの流出は停止する。従って、容器を横倒しの状態で冷蔵庫に入れても、内部のガスや炭酸飲料がガス供給部へ逆流することはない。また、ガス供給部を容器と分離できるので、その分嵩が小さくなり、収容空間の確保が容易となる。
【００１４】
飲料の抽出を終えて容器が空になった場合は、ガス供給部を飲料抽出部から分離する。続いて、飲料抽出部のキャップを容器の開口部から取り外す。この状態で汚れ易い飲料抽出部だけを丸洗いでき、衛生的となる。
【００１５】
飲料を満たした容器を用意してこの飲料抽出部をこの容器に取付け、ガス供給部を飲料抽出部と結合すれば、前回と同様にして炭酸飲料を抽出できる。ガスを使い切らなかったガス供給部を次回の抽出に使用すれば、ガスの無駄を省ける。
【００１６】
該ガス供給部と該飲料抽出部の結合が、該ガス流出口と該ガス導入路の一方に配設した袋ナットと、他方に形成したネジによって、なされてもよい。
この場合は、該ガス供給部と該飲料抽出部の結合が直接的となり、取扱がし易くなる。
【００１７】
該ガス流出口が該本体から延出したチューブの端部に設けられていてもよい。この場合は、ガス供給部と飲料抽出部の結合が間接的となり、該ガス供給部を設置する場所の選択の自由度が高くなる。
【００１８】
該ガス流出口に弁匣が導結され、該弁匣に該自閉弁が収容され、該袋ナットは該弁匣に遊嵌され、該ネジは該キャップの該ガス導入路の口縁部外周に形成され、該袋ナットと該ネジの螺合により、該ガス導入路内の突き棒が該自閉弁を移動して該ガス流出口が該ガス導入路に導通するようになっていてもよい。
この場合は、自閉弁の配設が容易で、ガス供給部と飲料抽出部の結合や離別を袋ナットのねじ込みや、ねじ戻しで簡単に行える。
【００１９】
該ガス供給部は該容器の接合カール部の内側の溝に係合するフックを備えていてもよい。
この場合は、該ガス供給部を該容器に懸架でき、該ガス供給部の設置場所さがしに苦労しない。
【００２０】
【実施例】
１は飲料抽出部、２はガス供給部である。
飲料抽出部１はキャップ３、サイホン管４、開閉弁５及び抽出口６を有している。
【００２１】
キャップ３は容器７の開口部８に対する取付部９、弾性の逆止弁１０付きガス導入路１１及び飲料導出路１２を有している。このサイホン管４は上端部が飲料導出路１２に導結され、下端に減圧抽出部１３を備えている。飲料導出路１２はキャップ３の頂部１４に、その内外に貫通して設けられている。
【００２２】
この減圧抽出部１３は相対する円錐面部１５及び１６で流路間隙１７を形成するコア１８とケース１９を有し、調整ネジ２０によりコア１８をその軸線方向へ移動して流路間隙１７を調整し、これによって圧力降下をはかる従来型である。ただし、このケース１９は軸線上で螺合自在の部分１９ａと１９ｂに分割されている。勿論、減圧抽出部１３の構成は、同様の目的を達成するものであれば、この型式に限られない。
【００２３】
開閉弁５は飲料導出路１２内の弁座２１と弁体２２を有している。弁体２２はキャップ３から上方へ突出し、ピン２３によってレバー２４に連結される。このレバー２４は弁体２２を閉位置と開位置に保つ平坦面２５と２６を備えている。また弁体２２とキャップ３の間に弁体２２を閉位置に戻そうとするスプリング２７が介装される。
【００２４】
抽出口６は一端がキャップ３外に開口してノズル２８が接続され、他端が飲料導出路１２と弁座２１の下流側で連通している。
【００２５】
ガス供給部２は飲料抽出部１と別体で、本体３１、ガスカートリッジ３２の取付部３３、開栓部３４、ガス取出部３５、減圧部３６、ガス流出口３７及びこのガス流出口３７に配設された自閉弁３８を有している。この自閉弁３８はガス供給部２が飲料抽出部１と分離されている状態、即ち非結合時にガス流出口３７を常に閉止するようになっている。
【００２６】
そして、このガス供給部２は飲料抽出部１と結合時にガス流出口３７がキャップ３のガス導入路１１と導通するようになっている。
【００２７】
図示の抽出器は、減圧抽出部１３とサイホン管４を炭酸飲料を入れた容器７に入れて、飲料抽出部１のキャップ３をこの容器７の開口部８に取付部９で気密に取付ける。図示の例では、このキャップ３は環状シール部材３９を介して開口部８に取付けられ、ガスシールがなされる。
【００２８】
ガス導入路１１はキャップ３の頂部１４に貫設され、キャップ３内では筒部４１で囲まれている。この筒部４１の外周に下端を閉塞した弾性の逆止弁１０が圧嵌している。この逆止弁１０は下端に割れ目４２が形成されており、ガス導入路１１に外部から規定された圧力がかかるとこの割れ目４２が開いて外部から容器７の内部へガスを流し、圧力がこの規定値以下になるとこの割れ目４２が閉じて容器７の内部のガスが外部へ流出するのを阻止する。
【００２９】
この割れ目４２の替りに、筒部４１の側面に孔をあけて下端を閉塞し、弾性筒体をこの筒部４１に嵌め込んでこの孔を塞ぐようにしてもよい。
【００３０】
次に、ガス供給部２を飲料抽出部１に結合する。そして、ガスカートリッジ３２をその取付部３３に取付ける。ガスカートリッジ３２は開栓部３４で開栓され、圧力ガスがガス取出部３５に出て減圧部３６で減圧される。減圧されたガスがガス流出口３７に自閉弁３８を通って流れ、飲料抽出部１のガス導入路１１に入り、逆止弁１０を押し開いて容器７に流れ込む。そして、容器７内の圧力と減圧されたガスの圧力が均衡するとガスの流れは停止する。
【００３１】
容器７内の炭酸飲料はその液面にこのガス圧がかかるので、レバー２４で弁体２２を弁座２１から離別させれば、容器７内の炭酸飲料はガス圧により減圧抽出部１３の流路間隙１７を均一に流れ、サイホン管４内を昇流して抽出口６を通り、ノズル２８から抽出される。
レバー２４を放せばスプリング２７により弁体２２が弁座２１に着座し、飲料の抽出は停止する。
【００３２】
図１の例で、ガス供給部２と飲料抽出部１の結合が、ガス流出口３７に配設した袋ナット４３とガス導入路１１に形成したネジ４４によって、なされている。こうすると、ガス供給部２と飲料抽出部１の結合が直接的となり、取扱がし易くなる。
【００３３】
図２の場合、ガス流出口３７は本体３１から延出したチューブ４５の端部に設けられている。
こうすると、ガス供給部２と飲料抽出部１の結合が間接的となり、ガス供給部２を設置する場所の選択の自由度が高くなる。
【００３４】
ガス流出口３７に弁匣４６が導結され、この弁匣４６に自閉弁３８が収容され、袋ナット４３はこの弁匣４６に遊嵌され、ネジ４４はキャップ３のガス導入路１１の口縁部外周に形成され、袋ナット４３とネジ４４の螺合により、ガス導入路１１内の突き棒４７が自閉弁３８を移動してガス流出口３７がガス導入路１１に導通するようになってる。
こうすると、自閉弁３８の配設が容易で、ガス供給部２と飲料抽出部１の結合や離別を袋ナット４３のねじ込みや、ねじ戻しで簡単に行える。
【００３５】
ガス供給部２は容器７の接合カール部４８の内側の溝４９に係合するフック５０を備えていてもよい。
こうすると、ガス供給部２を容器７に懸架でき、ガス供給部２の設置場所さがしに苦労しない。
【００３６】
図３はガス供給部２を飲料抽出部１から分離した状態を示してある。５１は蓋で、飲料抽出部１のガス導入路１１の外端のネジ４４に螺合するようになっている。図１及び図２の各場合に供用できる。
【００３７】
【発明の効果】
本発明によれば、飲料抽出部とガス供給部が互いに結合できる別体となっており、ガス供給部のガス流出口は、ガス供給部が飲料抽出部と分離されているときに、自閉弁で常に閉止され、飲料抽出部との結合時に開放して飲料抽出部のガス導入路と導通するようになっているので、容器に飲料抽出部を取付けたままガス供給部を取外すことができ、しかもガスが漏出することがなく、この取外しによって抽出器の嵩を小さくでき、容器を横倒しにしても容器内の飲料がガス供給部へ逆流してガス供給部の減圧部を飲料で損なうことがないので、家庭用の冷蔵庫でも容易に保冷でき、飲料を数回に分けて摂取することができ、汚れ易い飲料抽出部だけを容器及びガス供給部と分離して丸洗いすることもでき、衛生的である。
【００３８】
請求項２によれば、ガス供給部と飲料抽出部の結合を直接的に行え、取扱がし易くなる。
【００３９】
請求項３によれば、ガス供給部と飲料抽出部の結合を間接的に行え、ガス供給部を設置する場所の選択の自由度を高くできる。
【００４０】
請求項４によれば、自閉弁の配設が容易で、ガス供給部と飲料抽出部の結合や離別を袋ナットのねじ込みや、ねじ戻しで簡単に行える。
【００４１】
請求項５によれば、ガス供給部を容器に懸架でき、ガス供給部の設置場所さがしに苦労しないで済む。
【図面の簡単な説明】
【図１】本発明にかかる炭酸飲料抽出器の具体例を示す一部切断正面図である。
【図２】図１の上部の拡大図である。
【図３】本発明にかかる炭酸飲料抽出器の別の例を示す一部切断正面図である。
【図４】図１及び図２の各例において、ガス供給部を外して蓋をした状態を示す一部切断正面図である。
【符号の説明】
１    飲料抽出部
２    ガス供給部
３    キャップ
４    サイホン管
５    開閉弁
６    抽出口
７    容器
８    開口部
９    取付部
１０  逆止弁
１１  ガス導入路
１２  飲料導出路
１３  減圧抽出部
２１  弁座
２２  弁体
３１  本体
３２  ガスカートリッジ
３３  取付部
３４  開栓部
３５  ガス取出部
３６  減圧部
３７  ガス流出口
３８  自閉弁
４１  筒部
４２  割れ目
４３  袋ナット
４４  ネジ
４５  チューブ
４６  弁匣
４７  突き棒
４８  接合カール部
４９  溝
５０  フック
５１  蓋
【図１】
0003968174.tif 000002
【図２】
0003968174.tif 000003
【図３】
0003968174.tif 000004
【図４】
0003968174.tif 000005